(57)【要約】【課題】電気二重層コンデンサをできる限り速やかに、安全かつ確実に所定の電圧まで充電することのできる電気二重層コンデンサの充電システム、電気二重層コンデンサの充電方法及び放射線画像検出装置を提供する。【解決手段】充電電圧判定部７１により判定される電気二重層コンデンサ２８の電圧値が所定の規定電圧以下の所定の目標電圧となるまで第１の電流値を充電電流の電流値として選択し、電気二重層コンデンサ２８の電圧値が所定の目標電圧となると、第１の電流値よりも低い第２の電流値を充電電流の電流値として選択する充電電流値選択部７２と、充電電流値選択部７２による選択に応じて充電電流の電流値を切り替える充電電流値切替部７３とを備え、電気二重層コンデンサ２８の電圧値が所定の規定電圧を超えない限度で定電流充電を行う電気二重層コンデンサ２８の充電システム。【選択図】図４
2011147263.tif 000002
【特許請求の範囲】
【請求項１】
電気二重層コンデンサを所定の規定電圧まで充電する電気二重層コンデンサの充電システムであって、
前記電気二重層コンデンサの充電を行う充電電流の電流値として複数の電流値を選択可能であり、前記電気二重層コンデンサの電圧値に応じて充電に適した前記充電電流の電流値を選択する充電電流値選択手段と、
外部電源から供給される電力を、前記充電電流値選択手段によって選択された電流値の電流に切り替える充電電流値切替手段と、
前記電気二重層コンデンサの電圧値を判定する電圧値判定手段と、を備え、
前記充電電流値選択手段は、前記電圧値判定手段により判定された前記電気二重層コンデンサの電圧値が前記所定の規定電圧以下の所定の目標電圧となるまで第１の電流値を充電電流の電流値として選択し、前記電圧値判定手段により判定された前記電気二重層コンデンサの電圧値が前記所定の目標電圧となると、前記第１の電流値よりも低い第２の電流値を充電電流の電流値として選択し、前記充電電流値切替手段が、前記充電電流値選択手段による選択に応じて充電電流の電流値を切り替えることにより、前記電気二重層コンデンサの電圧値が前記所定の規定電圧を超えない限度で定電流充電を行うことを特徴とする電気二重層コンデンサの充電システム。
【請求項２】
前記充電電流値選択手段は、前記第２の電流値として複数段階の電流値を選択可能であることを特徴とする請求項１に記載の電気二重層コンデンサの充電システム。
【請求項３】
前記第２の電流値による定電流充電により前記電気二重層コンデンサの電圧値が前記所定の目標電圧となった後に、定電圧充電に切り替える定電圧充電切替手段を備えていることを特徴とする請求項１又は請求項２に記載の電気二重層コンデンサの充電システム。
【請求項４】
電気二重層コンデンサを所定の規定電圧まで充電する電気二重層コンデンサの充電方法であって、
第１の電流値の充電電流により前記電気二重層コンデンサの電圧値が前記所定の規定電圧以下の所定の目標電圧となるまで充電する工程と、
前記電気二重層コンデンサの電圧値が前記所定の目標電圧となった後に、前記第１の電流値よりも低い第２の電流値の充電電流により前記電気二重層コンデンサの電圧値が前記所定の目標電圧となるまで充電する工程と、を備え、
前記電気二重層コンデンサの電圧値が前記所定の規定電圧を超えない限度で定電流充電を行うことを特徴とする電気二重層コンデンサの充電方法。
【請求項５】
前記第２の電流値として複数段階の電流値を選択可能であることを特徴とする請求項４に記載の電気二重層コンデンサの充電方法。
【請求項６】
前記第２の電流値による定電流充電により前記電気二重層コンデンサの電圧値が前記所定の目標電圧となった後に、定電圧充電を行うことを特徴とする請求項４又は請求項５に記載の電気二重層コンデンサの充電方法。
【請求項７】
各機能部に電力を供給する電気二重層コンデンサと、
外部電源から供給される電力を受電する給電用コネクタと、
前記給電用コネクタと前記電気二重層コンデンサとの間の充電経路上に設けられた充電制御手段と、
前記電気二重層コンデンサの電圧値を判定する電圧値判定手段と、
を備え、
前記充電制御手段は、
前記電気二重層コンデンサの充電を行う充電電流の電流値として複数の電流値を選択可能であり、前記電気二重層コンデンサの電圧値に応じて充電に適した前記充電電流の電流値を選択する充電電流値選択手段と、
前記外部電源から供給される電力を、前記充電電流値選択手段によって選択された電流値の電流に切り替える充電電流値切替手段と、を有し、
前記充電電流値選択手段は、前記電圧値判定手段により判定された前記電気二重層コンデンサの電圧値が前記所定の規定電圧以下の所定の目標電圧となるまで第１の電流値を充電電流の電流値として選択し、前記電圧値判定手段により判定された前記電気二重層コンデンサの電圧値が前記所定の目標電圧となると、前記第１の電流値よりも低い第２の電流値を充電電流の電流値として選択し、前記充電電流値切替手段が、前記充電電流値選択手段による選択に応じて充電電流の電流値を切り替えることにより、前記電気二重層コンデンサの電圧値が前記所定の規定電圧を超えない限度で定電流充電を行うように、前記電気二重層コンデンサに供給する充電電流の電流値を制御することを特徴とする放射線画像検出装置。
【請求項８】
前記充電電流値選択手段は、前記第２の電流値として複数段階の電流値を選択可能であることを特徴とする請求項７に記載の放射線画像検出装置。
【請求項９】
前記充電制御手段は、前記第２の電流値による定電流充電により前記電気二重層コンデンサの電圧値が前記所定の目標電圧となった後に、定電圧充電に切り替える定電圧充電切替手段を備えていることを特徴とする請求項７又は請求項８に記載の放射線画像検出装置。
【発明の詳細な説明】
【技術分野】
【０００１】
本発明は、電気二重層コンデンサの充電システム、電気二重層コンデンサの充電方法及び放射線画像検出装置に関するものである。
【背景技術】
【０００２】
従来、各種機器のバッテリとしては、ニッカド電池、ニッケル水素電池、リチウムイオン電池、小型シール鉛電池、鉛蓄電池等の充電自在な二次電池が一般的に用いられてきたが、こうした二次電池は充電に長時間を要する。
このため、近年、高速充電が可能な電気二重層コンデンサをバッテリとして用いることが考えられている。
【０００３】
例えば、医療用の放射線画像を取得する手段であるフラットパネルディテクタ（Flat Panel Detector：ＦＰＤ）と呼ばれる放射線画像検出装置について、近年、その内部にバッテリを内蔵し、ケーブルレスで駆動可能な可搬型に構成されたカセッテ型の放射線画像検出装置が開発されている。
放射線画像検出装置を可搬型に構成した場合、患者のベッドサイド等におけるポータブル撮影をはじめとする自由度の高い撮影が可能となる。
このような可搬型の放射線画像検出装置のメリットを十分に活かすためには、長時間の使用が可能で、しかも高速で充電することのできるバッテリを採用することが望まれており、こうした条件を満たすバッテリとして電気二重層コンデンサが期待されている。
【０００４】
電気二重層コンデンサは、化学反応を用いる二次電池と異なり、内部抵抗が低い(例えば、リチウムイオンニ次電池の内部抵抗が２０〜１００ｍΩであるのに対して、電気二重層コンデンサの内部抵抗が１〜１０ｍΩ)ため、高電流による充放電が可能である。
このため、一定の高充電電流値で、抵抗成分による電圧ドロップを考慮した規定電圧まで充電することにより、短時間で充電を行うことが可能である。
【０００５】
しかし、他方で、高電流充電を行うことができる反面、半導体スイッチや電気二重層コンデンサ内部の抵抗成分に起因する電圧ドロップが大きい。
すなわち、オームの法則より、電圧ドロップは、充電電流値に抵抗成分を乗じた値となるところ、例えば、充電電流値を１Ａ、抵抗成分を２００ｍΩとすると、１×０．２＝０．２Ｖの電圧ドロップが発生することとなる。
【０００６】
また、電圧ドロップの値は、充電電流の電流値とデバイス温度（環境温度）による依存性が高く、低電流・低温の場合と高電流・高温時の場合とでは、その差が数百ｍＶにも達する。このため、規定電圧まで充電した充電完了後の電圧値に大きなばらつきを生じるとの問題がある。
この点、環境温度を一定に保つことができれば電圧ドロップの値を正確に予測してその分を考慮した充電が可能となる。しかし、環境温度の変化は高電流値の電流による充電を行うことによる充電回路自体の発熱等による影響が大きいため、環境温度を制御することは困難である。
【０００７】
そこで、電気二重層コンデンサを精密に使用電圧（例えば、定格電圧）まで充電するためには、定電流充電を行った後、さらに定格電圧に達するまで定電圧充電を行うことが考えられる。
また、電気二重層コンデンサを定電流電源により充電する場合に、予め電圧ドロップ分を考慮して、電気二重層コンデンサの使用電圧（例えば、定格電圧）を超える所定の設定電圧値まで所定時間過剰充電することが提案されている（例えば、特許文献１参照）。
このように使用電圧を超える電圧値まで過剰充電を行えば、定電流充電後、さらに定電圧充電を行うことなく、目的とする電圧レベルとすることができるため、高速度で充電することができる。
【先行技術文献】
【特許文献】
【０００８】
【特許文献１】特開平７−５７９７８号公報
【発明の概要】
【発明が解決しようとする課題】
【０００９】
しかしながら、高電流による定電流充電と定電圧充電とを組み合わせて充電を行う場合、高電流充電による充電完了後の電圧から電気二重層コンデンサの使用電圧（例えば、定格電圧）までの残差が数百ｍＶもある場合には、その後の定電圧充電によって使用電圧（例えば、定格電圧）に達するまでの充電時間は、定電流充電時間の数倍にも達する場合がある。
また、電気二重層コンデンサを充電する場合、前述のように充電完了後の電圧値のばらつきが大きいため、特許文献１に記載の手法で確実に定格電圧まで充電しようとした場合には、このばらつき分を考慮して定格電圧を大きく超える電圧まで充電することが必要となる。
この点、電気二重層コンデンサの充電電圧の上限は、その信頼性から厳しく規定されており、定格電圧以上の電圧を印加することは特性劣化の原因となるとの問題がある。
また、ばらつき分を考慮して所望の規定電圧（定格電圧）を大きく超える電圧まで充電すると、個体差により充電電圧に大きなばらつきを生じてしまうとの問題もある。
【００１０】
そこで、本発明は以上のような事情に鑑みてなされたものであり、電気二重層コンデンサをできる限り速やかに、安全かつ確実に所定の電圧まで充電することのできる電気二重層コンデンサの充電システム、電気二重層コンデンサの充電方法及び放射線画像検出装置を提供することを目的とするものである。
【課題を解決するための手段】
【００１１】
前記の課題を解決するために、本発明の電気二重層コンデンサの充電システムは、
電気二重層コンデンサを所定の規定電圧まで充電する電気二重層コンデンサの充電システムであって、
前記電気二重層コンデンサの充電を行う充電電流の電流値として複数の電流値を選択可能であり、前記電気二重層コンデンサの電圧値に応じて充電に適した前記充電電流の電流値を選択する充電電流値選択手段と、
外部電源から供給される電力を、前記充電電流値選択手段によって選択された電流値の電流に切り替える充電電流値切替手段と、
前記電気二重層コンデンサの電圧値を判定する電圧値判定手段と、を備え、
前記充電電流値選択手段は、前記電圧値判定手段により判定された前記電気二重層コンデンサの電圧値が前記所定の規定電圧以下の所定の目標電圧となるまで第１の電流値を充電電流の電流値として選択し、前記電圧値判定手段により判定された前記電気二重層コンデンサの電圧値が前記所定の目標電圧となると、前記第１の電流値よりも低い第２の電流値を充電電流の電流値として選択し、前記充電電流値切替手段が、前記充電電流値選択手段による選択に応じて充電電流の電流値を切り替えることにより、前記電気二重層コンデンサの電圧値が前記所定の規定電圧を超えない限度で定電流充電を行うことを特徴としている。
【００１２】
本発明の別の側面である電気二重層コンデンサの充電方法は、
電気二重層コンデンサを所定の規定電圧まで充電する電気二重層コンデンサの充電方法であって、
第１の電流値の充電電流により前記電気二重層コンデンサの電圧値が前記所定の規定電圧以下の所定の目標電圧となるまで充電する工程と、
前記電気二重層コンデンサの電圧値が前記所定の目標電圧となった後に、前記第１の電流値よりも低い第２の電流値の充電電流により前記電気二重層コンデンサの電圧値が前記所定の目標電圧となるまで充電する工程と、を備え、
前記電気二重層コンデンサの電圧値が前記所定の規定電圧を超えない限度で定電流充電を行うことを特徴としている。
【００１３】
本発明の別の側面である放射線画像検出装置は、
各機能部に電力を供給する電気二重層コンデンサと、
外部電源から供給される電力を受電する給電用コネクタと、
前記給電用コネクタと前記電気二重層コンデンサとの間の充電経路上に設けられた充電制御手段と、
前記電気二重層コンデンサの電圧値を判定する電圧値判定手段と、
を備え、
前記充電制御手段は、
前記電気二重層コンデンサの充電を行う充電電流の電流値として複数の電流値を選択可能であり、前記電気二重層コンデンサの電圧値に応じて充電に適した前記充電電流の電流値を選択する充電電流値選択手段と、
前記外部電源から供給される電力を、前記充電電流値選択手段によって選択された電流値の電流に切り替える充電電流値切替手段と、を有し、
前記充電電流値選択手段は、前記電圧値判定手段により判定された前記電気二重層コンデンサの電圧値が前記所定の規定電圧以下の所定の目標電圧となるまで第１の電流値を充電電流の電流値として選択し、前記電圧値判定手段により判定された前記電気二重層コンデンサの電圧値が前記所定の目標電圧となると、前記第１の電流値よりも低い第２の電流値を充電電流の電流値として選択し、前記充電電流値切替手段が、前記充電電流値選択手段による選択に応じて充電電流の電流値を切り替えることにより、前記電気二重層コンデンサの電圧値が前記所定の規定電圧を超えない限度で定電流充電を行うように、前記電気二重層コンデンサに供給する充電電流の電流値を制御することを特徴としている。
【発明の効果】
【００１４】
この発明によれば、電気二重層コンデンサの電圧値が所定の規定電圧又はこれよりも低い所定の目標電圧となるまで第１の電流値により定電流充電を行い、電圧値が所定の規定電圧又は所定の目標電圧となると、第１の電流値よりも低い第２の電流値により定電流充電を行うようになっている。
このため、高電流による高速充電により充電時間を短縮しつつ、電気二重層コンデンサの電圧値が所定の規定電圧を超えないように充電を行うことができ、安全かつ確実に規定電圧まで充電することができるとの効果を奏する。
【図面の簡単な説明】
【００１５】
【図１】本実施形態に係る放射線画像検出装置の充電制御の機能的構成を示す要部ブロック図である。
【図２】図１に示す放射線画像検出装置の外観を示す斜視図である。
【図３】図１に示す放射線画像検出装置のセンサパネル部及び読取部等の構成を示す等価回路図である。
【図４】本実施形態における充電の充電電流及び充電電圧の変化を示す説明図である。
【図５】本実施形態の一変形例における充電の充電電流及び充電電圧の変化を示す説明図である。
【図６】本実施形態の一変形例における充電の充電電流及び充電電圧の変化を示す説明図である。
【発明を実施するための形態】
【００１６】
以下、図１から図４を参照しつつ、本発明に係る電気二重層コンデンサの充電システム(以下、単に充電システムという。)、電気二重層コンデンサの充電方法及び放射線画像検出装置の好適な実施形態について説明する。なお、本発明を適用可能な実施形態がこれに限定されるものではない。
【００１７】
図１は、本実施形態における充電システムを備える放射線画像検出装置の充電制御の要部構成を模式的に示したブロック図である。
本実施形態において放射線画像検出装置２は、いわゆるフラットパネルディテクタ（Flat Panel Detector：以下「ＦＰＤ」という。）をカセッテ型に構成した可搬型のカセッテ型ＦＰＤであり、放射線画像撮影に用いられ、放射線画像データ（以下、単に「画像データ」と称する。）を取得するものである。
なお、以下では、放射線画像検出装置２として、シンチレータ等を備え、放射された放射線を可視光等の他の波長の電磁波に変換して電気信号を得るいわゆる間接型の放射線画像検出装置について説明するが、本発明は、シンチレータ等を介さずに放射線を放射線検出素子で直接検出する、いわゆる直接型の放射線画像検出装置に対しても適用することができる。
【００１８】
放射線画像検出装置２には、放射線画像検出装置２の各機能部に電力を供給するバッテリとして電気二重層コンデンサ２８が設けられている。
電気二重層コンデンサ２８は、例えば２Ｖから４Ｖの間の充電電圧で使用可能であり、内部抵抗が低いため、例えば５Ａから１０Ａ等の高い電流値の充電電流による高速充電を行うことが可能である。
なお、本実施形態において、電気二重層コンデンサ２８は、リチウムイオンキャパシタ（ＬＩＣ）等の蓄電素子を広く含むものとする。
【００１９】
放射線画像検出装置２には、外部電力供給手段（クレードル４又は給電ケーブル５）を介して図示しない外部電源（本実施形態において、外部電源は定電流電源）から電力が供給されるようになっており、放射線画像検出装置２は、この外部電源からの電力を受電する給電用コネクタ２６を備えている。
【００２０】
なお、本実施形態における放射線画像検出装置２は、この給電用コネクタ２６と電気二重層コンデンサ２８との間の充電経路として、外部から供給された電力を電気二重層コンデンサ２８の充電に適した電流値の充電電流に変換した後に電気二重層コンデンサ２８に供給する第１の充電経路６５ａ（図１において実線で示す。）と、外部から供給された電力をそのまま（電圧値、電流値を放射線画像検出装置２の側で変換せずに）電気二重層コンデンサ２８に供給する第２の充電経路６５ｂ（図１において破線で示す。）の２種類の充電経路を備えている。
【００２１】
本実施形態に係る放射線画像検出装置２に接続される外部電力供給手段としては、給電ケーブル５とクレードル４とがあり、放射線画像検出装置２には、給電ケーブル５及びクレードル４のいずれが給電用コネクタ２６に接続されたのかを判定する接続判定手段６０及びこの判定結果に応じて充電経路を切り替える充電経路切替手段６３が設けられている。
接続判定手段６０は、給電用コネクタ２６から供給される電力の電圧値を検出する電圧検知部６１と、この電圧検知部６１により検知された電圧値のレベルによって、給電用コネクタ２６に、給電ケーブル５又はクレードル４のいずれが接続されたかを検出・判定する入力電圧判定回路６２とを備えている。入力電圧判定回路６２は、例えば、電圧検知部６１によって検知された電圧値が基準値よりも高いか否かを判断し、電圧値が基準値よりも高ければ給電ケーブル５が接続されたと判定し、基準値よりも低ければクレードル４が接続されたと判定する。
【００２２】
なお、本実施形態では、給電用コネクタ２６に供給される電力の電圧を検出することにより、給電ケーブル５、クレードル４のいずれが接続されたかを検出・判定する構成としたが、接続判定手段６０による検出・判定の手法は特に限定されず、これ以外の手法によってもよい。
【００２３】
充電経路切替手段６３は、例えば所定の電圧が印加されることによりＯＮ／ＯＦＦが切り替えられるスイッチである。
本実施形態では、入力電圧判定回路６２により給電用コネクタ２６に給電ケーブル５が接続されたと判定された場合には、充電経路切替手段６３により充電経路が第１の充電経路６５ａとなるように切り替える。また、入力電圧判定回路６２により給電用コネクタ２６にクレードル４が接続されたと判定された場合には、充電経路切替手段６３により充電経路が第２の充電経路６５ｂとなるように切り替えるようになっている。
なお、接続判定手段６０による判定の手法、充電経路切替手段６３の制御の仕方はここに例示したものに限定されない。
【００２４】
第１の充電経路６５ａ上には、内部充電制御回路７０及び内部充電回路７５が設けられている。本実施形態では、内部充電制御回路７０及び内部充電回路７５により、電気二重層コンデンサ２８の充電を行う充電システム１が構成されている。
内部充電制御回路７０は、給電ケーブル５を介して外部電源から供給された電力を、電気二重層コンデンサ２８の充電に適した電圧・電流に変換するものであり、充電電圧判定部７１、充電電流値選択部７２、充電電流値切替部７３、定電圧充電切替部７４等を備えている。
充電電圧判定部７１は、電気二重層コンデンサ２８の電圧値を検知・判定する充電電圧値判定手段である。
【００２５】
電気二重層コンデンサ２８は、所定の電圧値の範囲内において正常に機能するものであり、例えば、定格電圧値が４Ｖであり、最低電圧値が２Ｖである場合、電気二重層コンデンサ２８の電圧値が定格電圧４Ｖを超えるところまで充電が行われると、特性が劣化する。
また、電気二重層コンデンサ２８は、正常であれば、ニュートラル電圧（物性上の自然な電圧）に近づいていく特性を有している。したがって、電気二重層コンデンサ２８の電圧値が最低電圧値（例えば２Ｖ）を下回って回復しない場合には、電気二重層コンデンサ２８が正常に機能していないことが推測される。この場合には電気二重層コンデンサ２８を交換することが必要であり、この状態のまま充電を行うと、破損等の危険がある。
そこで、充電電圧判定部７１により電気二重層コンデンサ２８の電圧値を検知し、判定して、その判定結果を内部充電制御回路７０に出力するようになっている。
【００２６】
なお、充電電圧判定部７１による判定結果から電気二重層コンデンサ２８の電圧値が最低電圧値を下回っている場合には、充電を行うことを禁止して、制御部３０（図３参照）により警告表示（例えば後述するインジケータ２５（図２参照）の点滅等）や警告音による報知がなされることが好ましい。
また、充電電圧判定部７１による判定は充電の際のみに限定されない。例えば、撮影の途中で電気二重層コンデンサ２８の残量が足りなくなると撮影のやり直しが必要となり不都合であることから、充電電圧判定部７１による判定結果を参照し電気二重層コンデンサ２８の残量が１枚分の撮影を行うのに足りない程度と判断された場合には、制御部３０（図３参照）により警告表示（例えば後述するインジケータ２５（図２参照）の点滅等）や警告音による報知がなされることが好ましい。
【００２７】
充電電流値選択部７２は、電気二重層コンデンサ２８の充電を行う充電電流の電流値として複数の電流値を選択可能であって、充電電圧判定部７１により検知・判定された電気二重層コンデンサ２８の電圧値に応じて充電に適した充電電流の電流値を選択する充電電流値選択手段である。
【００２８】
本実施形態において、充電電流値選択部７２は、電気二重層コンデンサ２８の電圧値が所定の規定電圧以下の所定の目標電圧となるまで、例えば１０Ａ等の高い電流値（これを第１の電流値とする。）を充電電流の電流値として選択し、電気二重層コンデンサ２８の電圧値が所定の目標電圧となると、第１の電流値よりも低い電流値（例えば３Ａ等。これを第２の電流値とする。）を充電電流の電流値として選択する。
【００２９】
ここで、所定の規定電圧とは、電気二重層コンデンサ２８に表示されている耐電圧としての定格電圧の他、ユーザが任意にその耐電圧よりも低い電圧値を設定しているような場合の電圧値をも含む概念である。例えば、電気二重層コンデンサ２８に表示されている定格電圧（耐電圧）は４Ｖであるが、ユーザの用途として４Ｖまでは使用しないという場合に、充電を完了させる電圧値を定格電圧よりも低い電圧値（例えば３．５Ｖ）に設定して、３．５Ｖまで充電して使用するような場合は、この電圧値（３．５Ｖ）が本実施形態でいう規定電圧となる。
【００３０】
また、所定の目標電圧とは、所定の規定電圧と同じか、これよりも低い電圧値である。電気二重層コンデンサ２８は、その電圧値が定格電圧を超えると、特性が劣化するため、充電を行う際には、定格電圧に達したとき又は定格電圧に達する直前で充電を中止することが好ましい。また、ユーザが任意に定格電圧よりも低い規定電圧を設定した場合、これを超えて充電を行うことは無駄に電力を消費することとなり好ましくない。
そこで、本実施形態では、規定電圧（すなわち、電気二重層コンデンサ２８の定格電圧又はユーザが任意に定めた電圧）と同じか、これよりも僅かに低い電圧値を目標電圧と定め、電気二重層コンデンサ２８の電圧値がこの目標電圧に到達したら充電を中止するように制御を行うようになっている。
【００３１】
なお、充電を中止するタイミングを規定電圧に到達したときとするか、それよりも低い電圧値を目標電圧として定め、これに到達したときに充電を中止するかは、予め定められていてもよいし、ユーザが設定するようにしてもよい。
【００３２】
充電電流値切替部７３は、外部電源から供給される電力を、充電電流値選択部７２によって選択された電流値の電流に切り替える充電電流値切替手段であり、例えば、半導体スイッチである。なお、充電電流値切替部７３は、電流値を切り替え可能なものであればよく、半導体スイッチに限定されない。
本実施形態において、充電電流値切替部７３は、例えば、充電電流値選択部７２によって第１の電流値が選択されたときには、外部電源から供給される電力を１０Ａ等の高い電流値の充電電流に変換し、充電電流値選択部７２によって第２の電流値が選択されたときには、外部電源から供給される電力を３Ａ等の低い電流値の充電電流に変換して、電気二重層コンデンサ２８に提供するようになっている。
【００３３】
高電流値の充電電流による定電流充電を行った場合、短時間で充電を行うことが可能となるが、その反面、半導体スイッチや電気二重層コンデンサ２８内部の抵抗成分等に起因する電圧ドロップが大きくなる。
すなわち、オームの法則より、電圧ドロップは、充電電流値に抵抗成分を乗じた値となるところ、例えば、充電電流の電流値を１Ａ、抵抗成分を２００ｍΩとすると、０．２Ｖ（すなわち、１×０．２＝０．２Ｖ）の電圧ドロップが発生する。
この点、充電電流の電流値を０．１Ａに切り替えた場合には、電圧ドロップを０．０２Ｖ（すなわち、０．１×０．２＝０．０２Ｖ）に抑えることができる。
このため、一旦電気二重層コンデンサ２８の電圧値が所定の目標電圧となった後は、低い電流値の充電電流による定電流充電を行うことにより、電圧ドロップを低く抑えながら所定の規定電圧に限りなく近い値まで確実に充電を行うことができる。
【００３４】
また、定電圧充電切替部７４は、第２の電流値（例えば３Ａ）による定電流充電により電気二重層コンデンサ２８の電圧値が所定の目標電圧となった後に、定電圧充電に切り替える定電圧充電切替手段である。
定電圧充電の場合、電圧値が高くなるに伴って電流値が低くなっていくため、目指す規定電圧（例えば定格電圧）ぎりぎりまで充電を行うことができる。
なお、定電圧充電は高電流値による定電流充電と比較して時間を要するが、先に低い電流値の充電電流による定電流充電を行って所定の規定電圧値近くまで電気二重層コンデンサ２８の電圧値を上げてから定電圧充電に切り替えることにより、充電に要する時間をそれほど長くすることなく規定電圧までの充電を実現することができる。
【００３５】
また、内部充電回路７５は、充電電流の電流値を内部充電制御回路７０において選択、設定された充電電流値に保って、安全に電気二重層コンデンサ２８に供給するための回路である。
【００３６】
他方、入力電圧判定回路６２により第２の充電経路６５ｂが選択され、第２の充電経路６５ｂに切り替えられた場合には、クレードル４から給電用コネクタ２６を介して放射線画像検出装置２に供給された電力がそのままの電圧値、電流値のまま（すなわち、例えば５Ａから１０Ａ等の高い電流値のまま）電気二重層コンデンサ２８に供給される。
【００３７】
また、外部電力供給手段としてのクレードル４は、放射線画像検出装置２を載置することにより、外部から放射線画像検出装置２に電力を供給可能に構成されており、図示しない外部電源と接続されるコンセントが接続されているＡＣ／ＤＣ電源と、ＡＣ／ＤＣ電源から供給される電力を外部に出力する出力コネクタとを備えている（いずれも図示せず）。ＡＣ／ＤＣ電源は、負荷の変動に左右されず常に一定の電圧で電力を出力するものであり、出力コネクタは、この所定の電圧で放射線画像検出装置２に対して電力を供給するようになっている。
【００３８】
また、クレードル４には、出力コネクタが放射線画像検出装置２の給電用コネクタ２６に接続されたか否かを検出・判定する接続検出・判定部及び電力を外部に出力するか否かを切り替えるスイッチが設けられている（いずれも図示せず）。
接続検出・判定部が出力コネクタと給電用コネクタ２６との接続を検出・判定する手法は特に限定されず、例えば、出力コネクタ４２に対する物理的接触を検出するようにしてもよい。
また、スイッチの種類としては、一般にFET（Field-Effect Transistor）が用いられるが、これに限定されず、例えば電磁式スイッチ（電磁式リレー）、半導体スイッチ（SSR）、光電スイッチ（Photoリレー）等のいずれで構成してもよい。
【００３９】
本実施形態において、クレードル４に放射線画像検出装置２が装着されると、クレードル４側の出力コネクタが放射線画像検出装置２の給電用コネクタ２６と電気的に接続されて、ＡＣ／ＤＣ電源を介して外部電源から放射線画像検出装置２に、直接（すなわち電圧値、電流値の変換せずに）電気二重層コンデンサ２８を充電するための電力（例えば１０Ａ等の高い電流値の充電電流）が供給されるようになっている。
【００４０】
給電ケーブル５は、放射線画像検出装置２と接続することにより、外部から放射線画像検出装置２に電力を供給可能なものである。給電ケーブル５は、その一端側が放射線画像検出装置２の給電用コネクタ２６に接続され、他端側が図示しないＡＣ／ＤＣ電源と接続され、図示しないコンセント等を介して外部電源（いずれも図示せず）と接続されるようになっている。これにより、コンセント等に接続された給電ケーブル５の一端側を放射線画像検出装置２の給電用コネクタ２６に接続すると、外部電源から放射線画像検出装置２に電力が供給される。この場合、給電ケーブル５を介して供給される電力は、電圧が高く電流値が小さいものとなっている。給電ケーブル５を介して供給された電力は、後述するように、放射線画像検出装置２の内部充電制御回路７０において充電対象の電気二重層コンデンサ２８に適した電圧及び電流に変換される。
【００４１】
なお、給電ケーブル５から外部電源までの間には、クレードル４の場合と同様に、給電ケーブル５の出力コネクタが放射線画像検出装置２の給電用コネクタ２６と接続されたか否かを検出・判定する接続検出・判定部と、電力を外部に出力するか否かを切り替えるスイッチ（いずれも図示せず）が設けられている。なお、接続検出・判定部及びスイッチの構成はクレードル４に設けられているものと同じであるため、その説明を省略する。
【００４２】
図２は、本実施形態における放射線画像検出装置２の斜視図である。
放射線画像検出装置２は、図２に示すように、内部を保護する筐体２１を備えている。筐体２１は、少なくとも放射線の照射を受ける側の面Ｘ（以下、放射線入射面Ｘという。）が、放射線を透過するカーボン板やプラスチック等の材料で形成されている。なお、図２では、筐体２１がフロント部材２１ａとバック部材２１ｂとで形成されている場合が示されているが、その形状、構成は特に限定されず、この他にも、筐体２１を筒状のいわゆるモノコック状に形成することも可能である。
【００４３】
図２に示すように、本実施形態において、放射線画像検出装置２の側面部分には、電源スイッチ２２、インジケータ２５、給電用コネクタ２６等が配置されている。
【００４４】
電源スイッチ２２は、放射線画像検出装置２の電源のＯＮ／ＯＦＦを切り替えるものであり、電源スイッチ２２を操作することにより、後述する電気二重層コンデンサ２８（図１参照）による放射線画像検出装置２の各機能部に対する電力供給の開始及び停止を指示する信号が後述する制御部３０（図３参照）に出力される。放射線画像検出装置２を撮影に使用しないときには、電源をＯＦＦ（すなわち、電気二重層コンデンサ２８による各機能部に対する電力供給を停止）にしておくことにより、電気二重層コンデンサ２８の電力消費を抑えることができる。
【００４５】
インジケータ２５は、例えばＬＥＤ等で構成され電気二重層コンデンサ２８の充電残量や各種の操作状況等を表示するものである。
本実施形態においては、電気二重層コンデンサ２８の電圧値が最低電圧値（例えば２Ｖ）を下回っている場合等に、電気二重層コンデンサ２８の充電禁止、取替えの要否等をユーザに対して報知する手段として機能してもよい。
【００４６】
また、放射線画像検出装置２の側面部分には、筐体２１内に内蔵された電気二重層コンデンサ２８の交換のために開閉される蓋部材５０が設けられており、蓋部材５０の側面部には、放射線画像検出装置２が外部装置との間で無線方式による情報の送受信を行うためのアンテナ装置５１が埋め込まれている。
【００４７】
給電用コネクタ２６は、クレードル４及び給電ケーブル５のそれぞれと電気的に接続可能に構成されており、外部から放射線画像検出装置２に供給される電力の受電を行う接続部である。
前述のように、給電用コネクタ２６にクレードル４の出力コネクタが接続されると電気二重層コンデンサ２８に高電流値の充電電流を供給して急速充電することが可能となる。また、給電用コネクタ２６に給電ケーブル５が接続されると、外部電源からの電力を電気二重層コンデンサ２８の電圧値に応じた電流値に切り替えて電気二重層コンデンサ２８に供給し、電気二重層コンデンサ２８の充電を行うことが可能となるように構成されている。
【００４８】
筐体２１の放射線入射面Ｘ（図２参照）の内側には、放射線入射面Ｘから入射した放射線を吸収して可視光を含む波長の光に変換する図示しないシンチレータ層が形成されている。シンチレータ層は、例えばＣｓＩ：ＴｌやＧｄ2Ｏ2Ｓ：Ｔｂ、ＺｎＳ：Ａｇ等の母体内に発光中心物質が付活された蛍光体を用いて形成されたものを用いることができる。
【００４９】
シンチレータ層の放射線が入射する側の面とは反対側の面側には、シンチレータ層から出力された光を電気信号に変換する複数の光電変換素子２３（図３参照）が２次元状に複数配列された検出手段としてのセンサパネル部２４が設けられている。光電変換素子２３は、例えばフォトダイオード等であり、シンチレータ層等と共に、被写体を透過した放射線を電気信号に変換する放射線検出素子を構成する。
【００５０】
本実施形態においては、制御部３０、走査駆動回路３２、信号読出し回路３３等により、このセンサパネル部２４の各光電変換素子２３の出力値を読み取る読取手段である読取部４５（図３参照）が構成されている。
【００５１】
センサパネル部２４及び読取部４５の構成について、図３の等価回路図を参照しつつ、さらに説明する。
図３に示すように、センサパネル部２４の各光電変換素子２３の一方の電極にはそれぞれ信号読出し用のスイッチ素子であるＴＦＴ４６のソース電極が接続されている。また、各光電変換素子２３の他方の電極にはバイアス線Ｌｂが接続されており、バイアス線Ｌｂはバイアス電源３６に接続されていて、バイアス電源３６から各光電変換素子２３に逆バイアス電圧が印加されるようになっている。
【００５２】
各ＴＦＴ４６のゲート電極はそれぞれ走査駆動回路３２から延びる走査線Ｌｌに接続されており、ＴＦＴ４６のゲート電極には、この走査線Ｌｌを介して図示しないＴＦＴ電源から読み出し電圧（ＯＮ電圧）又はＯＦＦ電圧が印加されるようになっている。また、各ＴＦＴ４６のドレイン電極はそれぞれ信号線Ｌｒに接続されている。各信号線Ｌｒは、それぞれ信号読出し回路３３内の増幅回路３７に接続されており、各増幅回路３７の出力線はそれぞれサンプルホールド回路３８を経てアナログマルチプレクサ３９に接続されている。また、信号読出し回路３３には信号をデジタル信号に変換処理する処理手段としてのＡ／Ｄ変換部４０が接続されており、アナログマルチプレクサ３９から送り出されたアナログの画像信号は、Ａ／Ｄ変換部４０によりデジタルの画像信号に変換される。信号読出し回路３３は、このＡ／Ｄ変換部４０を介して制御部３０に接続されており、デジタルの画像信号が制御部３０に出力される。制御部３０には、記憶部３１が接続されており、制御部３０は、Ａ／Ｄ変換部４０から送られたデジタルの画像信号を画像データとして記憶部３１に記憶させるようになっている。
【００５３】
制御部３０は、図示しないＣＰＵ（Central Processing Unit）、ＲＯＭ（Read Only Memory）、ＲＡＭ（Random Access Memory）等を備えるコンピュータであり、放射線画像検出装置２全体を統括的に制御する。本実施形態においては、充電経路上の接続判定手段、外部充電電圧判定回路、内部充電電圧判定回路、内部充電制御回路等を制御するようになっている。
【００５４】
ＲＯＭには、実写画像データ生成処理、オフセット補正値生成処理、充電制御処理等、放射線画像検出装置２において各種の処理を行うためのプログラム、各種の制御プログラムやパラメータ等が記憶されている。
本実施形態では、電気二重層コンデンサ２８を充電する際に入力電圧判定回路６２又は充電電圧判定部７１からの信号に基づいて、どの設定に切り替えるのかを制御する制御プログラムが記憶されている。
制御部３０は、ＲＯＭに格納された所定のプログラムを読み出してＲＡＭの作業領域に展開し、当該プログラムに従ってＣＰＵが各種処理を実行するようになっている。
また、充電システム１の内部充電制御回路７０を用いずに、制御部３０にパラメータを持ち、制御部３０で制御する形態でもよいし、各充電システム１内で設定を切り替えて、制御部３０で状態を監視する形態でもよい。
【００５５】
記憶部３１は、例えばＨＤＤ（Hard Disk Drive）やフラッシュメモリ等で構成されており、記憶部３１には、読取部４５（図３参照）により生成される実写画像データ（被写体を透過した放射線に基づく画像データ）や、ダーク読取値（放射線を照射しない状態で取得された画像データ）等が記憶されるようになっている。
なお、記憶部３１は内蔵型のメモリでもよいし、メモリカード等の着脱可能なメモリでもよい。また、その容量は特に限定されないが、複数枚分の画像データを保存可能な容量を有することが好ましい。このような記憶手段を備えることによって、被写体に対して連続して放射線を照射し、その度ごとに画像データを記録し蓄積していくことができ、連続撮影や動画撮影を行うことが可能となる。
【００５６】
次に、図４を参照しつつ、本実施形態における電気二重層コンデンサの充電方法について説明する。
【００５７】
放射線画像検出装置２の給電用コネクタ２６に給電ケーブル５又はクレードル４が接続されると、接続判定手段６０の電圧検知部６１によって外部電源から供給される電力の電圧が検知され、この検知結果に基づいて入力電圧判定回路６２が、給電用コネクタ２６に接続されたのが給電ケーブル５であるかクレードル４であるかを判定する。そして、この判定結果に基づいて充電経路切替手段６３が充電経路を切り替える。
【００５８】
すなわち、入力電圧判定回路６２が、給電用コネクタ２６に接続されたのが給電ケーブル５であると判定すると、充電経路切替手段６３が充電経路を第１の充電経路６５ａに切り替える。この場合、電気二重層コンデンサ２８の電圧値が充電電圧判定部７１により判定され、この値が正常値（例えば、２Ｖから４Ｖ）である場合には、内部充電制御回路７０により所定の電流値の充電電流が電気二重層コンデンサ２８に供給され、電気二重層コンデンサ２８の充電が行われる。なお、電気二重層コンデンサ２８の電圧値が規定電圧（例えば４Ｖ）に近いレベルであるときには、内部充電制御回路７０により充電を行わないように制御が行われてもよい。
【００５９】
充電を行う場合には、まず、充電電流値選択部７２により電気二重層コンデンサ２８の電圧値に応じて充電に適した充電電流の電流値が選択される。例えば電気二重層コンデンサ２８の電圧値が規定電圧（例えば４Ｖ）よりもある程度下がっている場合には、充電電流の電流値として、高電流値（例えば１０Ａ：第１の電流値）が選択され、外部電源から供給された電力が、充電電流値切替部７３において、充電電流値選択部７２によって選択された高電流値（例えば１０Ａ）の電流に切り替えられる。充電電流値切替部７３によって電流値を切り替えられた電流は充電電流として電気二重層コンデンサ２８に供給され、高電流値の充電電流による定電流充電（高定電流充電）が行われる（図４においてａ）。
【００６０】
充電開始後も電気二重層コンデンサ２８の電圧値は充電電圧判定部７１により判定され、この電圧値が所定の目標電圧（すなわち、規定電圧又はこれよりも低い電圧値）となったと判定されると、高電流値の充電電流による定電流充電が中止される。このとき、一旦所定の目標電圧（例えば定格電圧等の規定電圧と同じ電圧値）まで上がっていた電気二重層コンデンサ２８の電圧値が電圧ドロップにより低下する（図４において、矢印ｂ）。
そして、充電電流値選択部７２は、充電電流の電流値として、高電流値（第１の電流値）よりも低い電流値（例えば３Ａ：第２の電流値）を選択する。充電電流値選択部７２により電流値が選択されると、充電電流値切替部７３において、充電電流が、充電電流値選択部７２によって選択された低電流値（例えば３Ａ）の電流に切り替えられる。充電電流値切替部７３によって電流値を切り替えられた電流は充電電流として電気二重層コンデンサ２８に供給され、低電流値の充電電流による定電流充電（低定電流充電）が行われる（図４においてｃ）。
この場合、充電電流の電流値が低いため、環境温度や動作状況等の影響を受けにくく、所定の目標電圧（例えば定格電圧等の規定電圧と同じ電圧値）まで充電した後の電圧ドロップも小さく抑えることができる。
【００６１】
さらに、この低電流値の充電電流による定電流充電によって、電気二重層コンデンサ２８の電圧値が、所定の目標電圧となると、低電流値の充電電流による定電流充電が中止される。
そして、定電圧充電切替部７４により、定電圧充電への切り替えが行われ、以後所定の規定電圧に達するまで定電圧充電が行われる（図４においてｄ）。これにより、充電電圧が一度も規定電圧（例えば、定格電圧）を超えることなく、規定電圧（例えば、定格電圧）まで安全確実に充電を行うことができる。なお、本実施形態では、低電流値の充電電流による定電流充電により所定の目標電圧まで充電した後に定電圧充電に切り替えるため、定電圧充電に切り替えた時点で定格電圧までの残差が少ない。このため、定電圧充電により定格電圧まで達するのに必要な時間を従来に比べ大幅に短縮することができる。
【００６２】
また、入力電圧判定回路６２が、給電用コネクタ２６に接続されたのがクレードル４であると判定すると、充電経路切替手段６３が充電経路を第２の充電経路６５ｂに切り替える。
この場合には、クレードル４を介して供給された電力がそのまま（低電圧のまま）電気二重層コンデンサ２８に供給され、高速充電が行われる。
なお、クレードル４からの充電の場合も充電電圧の切り替えを行うことによって、充電電圧が一度も規定電圧（例えば、定格電圧）を超えることなく、規定電圧（例えば、定格電圧）まで安全確実に充電を行うことができる。その場合の充電電圧判定は、クレードル４内で判定してもよいし、内部充電制御回路の充電電圧判定部７１を使用して判定を行い、クレードル４に対して判定結果に応じた信号を送ってもよい。
【００６３】
以上のように、本実施形態によれば、充電のほとんどを高電流値の充電電流による定電流充電（高定電流充電）で行うため、充電時間を短くすることができる。
また、高定電流充電の後、これより電流値の低い低電流値の充電電流による定電流充電（低定電流充電）を行うため、電気二重層コンデンサ２８の内部抵抗等に起因する電圧ドロップを小さくすることができる。
そして、このような電圧ドロップの少ない低定電流充電により電気二重層コンデンサ２８の電圧値を一旦所定の目標電圧（（例えば定格電圧等、規定電圧と同じ電圧値）まで上げた後に定電流充電を行うため、定格電圧までの残差が少なく、定電圧充電により規定電圧（例えば、定格電圧）まで達するのに必要な時間を従来に比べ大幅に短縮することができる。
さらに、最後は定電圧充電により規定電圧（例えば、定格電圧）に達するまで充電を行うため、確実に規定電圧一杯までの充電を行うことができる。
【００６４】
また、充電時に電気二重層コンデンサ２８の電圧値が所定の規定電圧（例えば、定格電圧）を超えることがないため、過充電による電気二重層コンデンサ２８の特性劣化を回避することができる。
【００６５】
さらに、電圧ドロップ分を考慮した過剰な充電を行わないため、無駄に充電電流を供給することなく、充電を完了させることができる。
【００６６】
なお、本実施形態では、第１の充電経路６５ａ上に設けられた内部充電制御回路７０と充電電圧判定部７１とにより電気二重層コンデンサ２８の充電を行う充電システム１が構成されている場合を例としたが、充電システム１の構成はこれに限定されない。例えば、クレードル４の内部に充電システム１を構成する内部充電制御回路７０と充電電圧判定部７１が設けられていてもよい。
この場合には、クレードル４の内部において、電気二重層コンデンサ２８の電圧値が判定され、これに応じて適宜電流値を変換された充電電流がクレードル４から放射線画像検出装置２の給電用コネクタ２６に供給される。
【００６７】
また、本実施形態では、充電電圧判定部７１によって、電気二重層コンデンサ２８の電圧値が正常であると判定されると、すぐに充電電流の電流値として高電流値が選択され、高電流値の充電電流による定電流充電（高定電流充電）が開始されるように構成したが、図５に示すように、高電流値の充電電流による定電流充電を開始する前に、一定時間低電流値の充電電流による定電流充電（低定電流充電）を行うようにしてもよい。
この場合、まず一定時間低定電流充電を行って（図５においてｅ）、電気二重層コンデンサ２８の状態を確認し、問題がなければ、その後、充電電流の電流値として高電流値を選択して高電流値の充電電流による定電流充電（高定電流充電）を開始する（図５においてｆ）。そして、電気二重層コンデンサ２８の電圧値が一旦所定の目標電圧（例えば、定格電圧と同じ電流値）まで上がったところで、再び充電電流の電流値を低い電流値に切り替えて低定電流充電を行う（図５においてｇ）。
電気二重層コンデンサ２８の状態に問題がある場合、急激に高電流値の電流を供給すると電気二重層コンデンサ２８が破損等するおそれがある。このような破損等を防止するためには、電気二重層コンデンサ２８の状態を確認するために、充電開始時には一定時間低電流値の充電電流による定電流充電（低定電流充電）を行うことが有効である。
【００６８】
また、本実施形態では、低い電流値の充電電流による低定電流充電を行った後に定電圧充電に切り替えてさらに定電圧充電を行うようにしたが、図５に示すように、低定電流充電を行った後、定電圧充電に切り替えることなく充電を終えてもよい。
充電電流の電流値を低く設定すれば、その分充電完了後の電圧ドロップ等も少なくなり、低定電流充電のみでも十分に規定電圧（定格電圧）に達することができる。この場合には、高定電流充電の後、低定電流充電を行うのみで充電を完了させ、時間を要する定電圧充電を行わないとすることにより、充電時間を短縮することができる。
【００６９】
また、本実施形態では、充電電流値選択部７２が、高い電流値である第１の電流値と、これよりも低い電流値である第２の電流値とを選択可能である例について説明したが、充電電流値選択部７２によって選択可能な充電電流の電流値は２種類に限定されない。高電流値である第１の電流値よりも低い第２の電流値として複数段階の電流値を選択可能としてもよい。
例えば、低い電流値として３段階の電流値が選択可能である場合には、図６に示すように、充電開始時に電気二重層コンデンサ２８の状態を見るために、一定時間低電流値の充電電流による定電流充電（低定電流充電）を行い（図６においてｈ）、その後、高い電流値の充電電流に切り替えて高速度の高定電流充電を行う（図６においてｉ）。そして、この高電流値の半分ほどの低い電流値の充電電流による低定電流充電を行い（図６においてｊ）、さらにその後、極低い電流値の充電電流による低定電流充電を行って（図６においてｋ）規定電圧（定格電圧）まで確実に充電を行うようにする。
なお、その他、充電電流の切り替え回数、選択可能な充電電流の電流値の種類等は特に限定されない。
また、一定時間経過後に自動的に所定の電流値の充電電流に切り替わるように構成してもよい。この場合には、例えば、規定電圧を超えないように所定の目標電圧を設定し、この目標電圧に達するまでの時間を次の電流値に切り替わる時間として設定するようにする。
【００７０】
また、本実施形態では、電気二重層コンデンサ２８の充電システム及び電気二重層コンデンサ２８の充電方法を放射線画像検出装置２に設けられた電気二重層コンデンサ２８を充電するために適用する例について説明したが、本発明を適用可能な電気二重層コンデンサは、放射線画像検出装置２に設けられているものに限定されず、各種電子機器、電気自動車等に設けられている電気二重層コンデンサを充電する場合に適用してもよい。
【００７１】
その他、本発明が上記実施形態に限らず適宜変更可能であるのは勿論である。
【符号の説明】
【００７２】
１    充電システム
２    放射線画像撮影装置
４    クレードル
５    給電ケーブル
２４  センサパネル部
２５  インジケータ
２６  給電用コネクタ
２８  電気二重層コンデンサ
３０  制御部
６０  接続判定手段
６１  電圧検知部
６２  入力電圧判定回路
６３  充電経路切替手段
７０  内部充電制御回路
７１  充電電圧判定部
７５  内部充電回路
７２  充電電流値選択部
７３  充電電流値切替部
７４  定電圧充電切替部
６５ａ  第１の充電経路
６５ｂ  第２の充電経路
【図１】
2011147263.tif 000003
【図２】
2011147263.tif 000004
【図３】
2011147263.tif 000005
【図４】
2011147263.tif 000006
【図５】
2011147263.tif 000007
【図６】
2011147263.tif 000008